(57)【要約】【課題】さまざまな形状と素材の対象物から、その形状と素材を損傷することなく粘着性付着物を除去し、対象物を本来の素材形状のまま完全にかつ廉価に回収して、資源回収率の向上を図ることができる粘着性付着物を除去する装置を提供することを目的とする。【解決手段】プラスチックや金属またはセラミックスを素材とする対象物から、粘着性付着物を研削工具で除去する装置であって、粘着性付着物が付着している対象物に与える荷重を一定に保った状態で研削工具の面に密着して押し付けながら対象物を移動しながら回転させ、かつ剥離し除去した粘着性付着物が対象物と切削工具に再付着するのを防止して、対象物の表面全体から粘着性付着物を除去する。【選択図】  図１
2004174477.tif 000002
【特許請求の範囲】
【請求項１】
対象物から粘着性付着物を研削工具で除去する装置であって、
ａ）  対象物を回転可能に収納する固定手段と、
ｂ）  該研削工具の研削具面に密着して該対象物の面を押しつけながら移動する荷重手段と、
ｃ）  該対象物から剥離し除去した該粘着性付着物が再付着するのを防止する再付着防止手段、とからなり
該機構が、対象物の形状と素材を損傷しないで、かつ、剥離した粘着性付着物が該対象物と該研削工具などに再付着するのを防止して、対象物の表面から粘着性付着物を完全に除去することを特徴とした粘着性付着物を除去するための装置。
【請求項２】
該対象物と該研削工具の密着する位置の近傍に、該粘着性付着物の粘着性と親和する微粉末を供給する再付着防止手段であることを特徴とした請求項１記載の粘着性付着物を除去するための装置。
【請求項３】
該粘着性付着物はプラスチック容器の表面に貼られた粘着ラベルと粘着シートである請求項１記載の粘着性付着物を除去するための装置。
【請求項４】
該研削工具の研削具は、対象物の素材と同程度以下の硬さの材質で製作された回転カッタである請求項１記載の粘着性付着物を除去するための装置。
【発明の詳細な説明】
【０００１】
【発明の属する分野】本発明は、例えばプラスチックや金属またはセラミックスを素材とする形成体に付着した文字や絵模様装飾のための粘着ラベルと粘着シートおよび汚れなどの粘着性付着物を、対象物の形状と素材を損傷しないで除去するための装置に関する。
【０００２】
【従来の技術】
飲料用および化粧品の容器や電子機器のハウジング等のプラスチックや金属またはセラミックスを素材とする形成体には、識別や装飾のために粘着剤などでラミネートされたラベルやシールなどの粘着性付着物が付着している。この粘着性付着物を除去し、形成体そのものとして再使用または素材として再利用することが資源の有効利用として望まれている。この粘着性付着物を除去する従来方法に、付着物が付着した形成体を、せん断粉砕機によりフレークに粉砕して、その混合物を洗浄除去し素材として分離する技術、形成体の粘着性付着物が付着している裏面から過熱空気によって過熱し剥離する技術などが知られており、また、さまざまな溶媒で洗い落とす方法なども考えられている。
【０００３】
【発明が解決しようとする課題】
しかしながら、粘着性付着物が付着した形成体を、せん断粉砕機によりフレークに粉砕しその混合物を洗浄除去し素材として分離する技術では、粉砕によって該形成体の形状が失われるため、形成体そのものとして再使用できないという問題点があり、また、形成体の粘着性付着物が付着している裏面から過熱空気によって過熱し剥離する技術では、肉厚または中空ではないような裏面の無い対象物の場合には、加熱することは非常に困難という問題があり、さらに、溶媒で洗い落とす方法では、ラミネートに用いられる粘着剤は多種多様であるため、それぞれに最適な溶媒を頻繁に選定しなければならないという煩わしい問題点がある。さらに、これらの技術では、適用できる対象物が制限されているため、資源回収率を上げられないという問題点がある。
【０００４】この発明は、以上のような問題点に鑑みてなされたものであり、さまざまな形状の対象物からその形状と素材を損傷することなく粘着性付着物を除去し、対象物を本来の素材形状のまま完全にかつ廉価に回収して、資源回収率の向上を図ることができる粘着性付着物を除去する装置を提供することを目的とする。
【０００５】
【課題を解決ための手段】上記目的を達成するための手段として、プラスチックや金属またはセラミックスを素材とする対象物から粘着性付着物を研削工具で除去する装置であって、第１に、対象物を回転可能に収納する固定手段と、該研削工具の研削具面に密着して該対象物の面を押しつけながら移動する荷重手段と、該対象物から剥離し除去した該粘着性付着物が再付着するのを防止する再付着防止手段、とからなり、該機構が、対象物の形状や素材を損傷しないで、かつ、剥離した粘着性付着物が該対象物と該研削具などに再付着するのを防止して、対象物の表面から粘着性付着物を完全に除去するようにしたことにある。
【０００６】第２に、該対象物と該研削工具の研削具と密着する位置の近傍に、該粘着性付着物の粘着性と親和する微粉末を供給するによって、剥離した粘着性付着物が該対象物と該研削具に再び付着するのを防止して、本発明の粘着性付着物を除去するための装置の性能を保持するようにしたことにある。
【０００７】第３に、請求項１記載の該粘着性付着物はプラスチック容器の表面に貼られた粘着ラベルと粘着シートである。
【０００８】第４に、該研削工具の研削具は、対象物の素材と同程度以下の硬さの材質で製作された回転カッタであって、対象物の形状と素材を損傷しないようにしたことにある。
【０００９】
【発明の実施の形態】以下、この発明の実施形態を図面に基づいて説明する。図中、同一の構成要素については同一の符号を付す。図１乃至図５に示すように、この実施形態に係わる対象物に付着した粘着性付着物を除去するための装置は、硬質プラスチックを素材とするたとえば概略四面垂体の使い捨てライターの燃料容器の全面に貼られている印刷された装飾模様の粘着シートと該粘着シートの上側に貼られた製造者表示の粘着ラベルおよび汚れなどを同時に除去する装置である。図２は、本発明の一実施形態における対象物を回転可能に収納する固定手段の構成を説明する図である。図２の正面図ａおよび平面図ｂにおいて、対象物１は、第１のシャフト２の一端に固定した第１の固定具３と第２のシャフト４の一端に固定した第２の固定具５の間に導入され、第１の押しばね機構６の第３のシャフト７によって回転すべり機構８を介して荷重されて挟まれるように装着されている。第２のシャフト４の他端は第１の減速機９を介して第１の回転機１０と連結している。第１の押しばね機構６と第２のシャフト４と第３のシャフト７と第１の減速機９および第１の回転機１０は随所で固定具台１１の図示しない玉軸受で支持されている。また、第１のシャフト２と第３のシャフト７は回転すべり機構８で連結されている。図２ｃは、回転すべり機構８を詳しく説明するための部分拡大図である。図２ｃにおいて、第３のシャフト７は固定具台１１にはめ込んだ直線スライダ１２を通り、回転すべり機構８のケーシング１３の一端に固定してある。このケーシング１３の内部と他端には、第１のシャフト２を支持する複数の玉軸受１４がはめ込まれている。さらに、玉軸受１４と第１の固定具３との間には、回転スライダ１５が第１のシャフト２に装着されている。すなはち、第１のシャフト３は回転可能であるが、第３のシャフト７は直線運動するのみで回転はしないようにしてある。
【００１０】図３は、本発明の一実施形態に組み込んだ研削工具の構成を示す図である。図４において、研削工具は構造体１６に一体として構成してあり、研削具１７の主軸である第４のシャフト１８は随所で複数の支持体１９で支持されている。該第４のシャフト１８には、第１のプーリ２０が取り付けてある。また、構造体１６には、第２の回転機２１と第２の減速機２２が配置されている。この減速機２２には第２のプーリ２３が取り付けてあり、さらに、第１のプーリ２０と第２のプーリ２３はベルト２４で連結し、研削具１７に回転動力を与えるようにしてある。
【００１１】図４は、本発明の一実施形態における研削工具の研削具面に密着して該対象物の面を押しつけながら移動する荷重手段の構成を説明する構成図である。  図４において、ａは本発明の一実施形態の固定手段に対する上記荷重手段の位置関係とその構成を説明する正面図である。図４ａにおいて、固定手段の固定具台１１の下側に接して可動筒２５が固定して配置されている。この可動筒２５は、複数の直線スライダ２６を介して固定筒２７と連結している。さらに、これら可動筒２５と固定筒２７は第２の押しばね機構２８に連結しており、固定具台１１に下方から所定の荷重を与えるようにしてある。すなはち、この押しばね機構２８によって対象物１を研削具１７に押し付けるようにしている。さらに、前記固定筒２７は、ピニオン２９と送り歯車３０と送り回転機３１とからなる送り機構３２と複数の直線スライダ３３を介して、構造体１６に取り付けられている。
図４ｂは図４ａのＡ−Ａ’断面の平面図であり、直方体の可動筒２５と直線スライダ２６と固定筒２７および第２の押しばね機構２８の配置関係を示した図である。
【００１２】図５は、本発明の一実施形態における対象物から剥離し除去した該粘着性付着物が再付着するのを防止する再付着防止手段を説明する構成図である。図５ａは、構造体１６における該再付着防止手段の配置を示す正面図である。図５ａにおいて、研削手段の第４のシャフト１８にギアボックス３４の主軸歯車３５が取り付けてある。この主軸歯車３５は、副軸３６の一端に取り付けた副軸歯車３７と連結している。このギアボックス３４と副軸３６の他端はそれぞれの副支持体３８で構造体１６に固定されている。さらに、副軸３６には回転ヤスリ３９が取り付けられている。そして、この回転ヤスリ３９の上側に近接して、粉体母材４０収納しかつ上下が開口した収納筒４１が配置してある。
図５ｂは、図５ａのＣ側面から鳥瞰したギアボックス３４内の主軸歯車３５と副歯車３７の位置関係を示した図である。図５ｃは、図５ａのＤ側面から鳥瞰した前記粉体母材４０と収納筒４１の回転ヤスリ３９に対する位置関係を示した配置図である。すなはち、粉体母材４０の下端は回転ヤスリ３９に接しており、回転ヤスリ３９が回転すると粉体原材４０が削れて微粉末を生成し、研削具１７と対象物１の接する面に向けて飛散するようになっている。すなはち、研削工具の研削具１７が作動して対象物１に付着した粘着性付着物の剥離が始まると同時に、この粘着性付着物の粘着性と親和する前記微粉末が、剥離を始めた粘着性付着物に付着して、剥がれた粘着性付着物の破片などが研削具１７と対象物１の本体に再付着するのを防止するようにしている。
【００１３】図１は、本発明の一実施形態の全体構成を示す図である。図１において、構造体１６には、対象物１が第１の固定具３と第２の固定具５の間に第１の押しばね機構６で装着されている。この装着された対象物１のほぼ真上には、図中一部破線で示した回転カッタの研削具１７が位置している。この研削具１７の下方から、荷重手段の第２の押しばね機構２８と直線スライダ２６とによって、装着された対象物１の上側面が押し上げるように該研削具１７に密着して接している。また、荷重手段の固定筒２７は、複数の直線スライダ３３と前記の送り機構３２を介して構造体１６に固定配置されている。また、対象物１と研削具１７が密着して接している近傍に、本発明の再付着防止手段の回転ヤスリ３９とその上側に粉体母材４０と収納筒４１を配置してある。図１において、該再付着防止手段の他の構成要素であるギアボックス３４と副軸３６などは図４に示した配置と同じであり省略している。
さらに、本実施形態においては、構造体１６の最上部に操作盤４２と制御器４３が配置されている。この操作盤４２には、制御器４３にあらかじめ記述したプログラムを開始／中断／停止／リセットするための図示しないスイッチ類が装備してある。さらに、制御器４３に記述された上記プログラムは、前記スイッチ類のオン／オフ状態に応じて、所定の順序と所定の速度で第１の回転機１０と第２の回転機２１および前述の送り機構３２の送り回転機３１を起動／停止するように構成されている。
すなはち、対象物１を本発明の固定手段に装着し、操作盤４２の開始スイッチをオン状態にすると、第２の回転機２１が起動し研削具１７が回転し始める。同時に回転ヤスリ３９が回り始めて、収納筒４１に装填した粉体母材４０の研削が開始されて微粉末が発生する。ついで、第１の回転機１０と送り回転機３１がそれぞれ所定の速度で起動されて、対象物１が回転しながら移動して粘着性付着物の剥離が始まる。そして、粘着性付着物が付着している対象物１の全面の剥離が終了すると、第１の回転機１０と送り回転機３１が停止し、ついで、第２の回転機２１が停止し、同時に、プログラムとすべての前記スイッチ類および第１の回転機１０と送り回転機３１が初期化されて終了する。上記の工程の後に対象物１が固定手段から取り出される。
また、上記剥離工程で除去された粘着性付着物や微粉末などは、図示しない局所ダクトを介してホッパー部４４に集められ、ダクト４５とフィルタ４６を経由して集塵機４７で捕集されるようにしている。
【００１４】本発明の上記説明した一実施形態では、対象物から剥離し除去した該粘着性付着物が再付着するのを防止する再付着防止手段に、粘着性付着物の粘着性と親和する微粉末を用いたが、本発明は、このような微粉末の使用に制限されるものではなく、対象物１の形状と表面を損傷することなく、かつ、研削工具の剥離効果を低下させないで、粘着性付着物などの粘着性物質の粘着性を低下させる他の物質やイオン粒子または紫外線などの波動を供給ししてもよい。
【００１５】また、本発明の前記説明した一実施形態では、研削具に回転カッタを使用したが、本発明は回転カッタに制限されるものではなく、前後に振動するナイフ状の振動カッタでもよい。
【発明の効果】上記説明したように、本発明に係わる粘着性付着物を除去するための装置は、該装置の性能を保ちながら、さまざまな形状と素材の対象物からその表面に付着した粘着性付着物や粘着性の汚れをその形状および素材を損傷することなく除去して、対象物を本来の素材形状のまま完全に回収するので、資源の回収率の向上および高度再使用と再利用の実現を図ることができるという効果がある。
【図面の簡単な説明】
【図１】本発明の粘着性付着物を除去するための装置の好ましい実施の形態を示す全体構成図。
【図２】本発明の一実施形態に係わる固定手段の構成を示す図。
【図３】本発明の一実施形態に組み込んだ研削工具の構成図。
【図４】本発明の一実施形態に係わる荷重手段の構成を示す図。
【図５】本発明の一実施形態に係わる再付着防止手段の構成を示す図。
【符号の説明】
１・・・対象物、２・・・第１のシャフト、３・・・第１の固定具、４・・・第２のシャフト、５・・・第２の固定具、６・・・第１の押しばね機構、７・・・第３のシャフト、８・・・回転すべり機構、９・・・第１の減速機、１０・・・第１の回転機、１１・・・固定具台、１２・・・第１の直線スライダ、１３・・・ケーシング、１４・・・玉軸受、１５・・・回転スライダ、１６・・・構造体、１７・・・研削具、１８・・・第４のシャフト、１９・・・支持体、２０・・・第１のプーリ、２１・・・第２の回転機、２２・・・第２の減速機、２３・・・第２のプーリ、２４・・・ベルト、２５・・・可動筒、２６・・・第２の直線スライダ、２７・・・固定筒、２８・・・第２の押しばね機構、２９・・・ピニオン、３０・・・送り歯車、３１・・・送り回転機、３２・・・送り機構、３３・・・直線スライダ、３４・・・ギアボックス、３５・・・主軸歯車、３６・・・副軸、３７・・・副軸歯車、３８・・・副支持体、３９・・・回転ヤスリ、４０・・・粉体母材、４１・・・収納筒、４２・・・操作盤、４３・・・制御器、４４・・・ホッパー部、４５・・・ダクト、４６・・・フィルタ、４７・・・集塵機
【図１】
2004174477.tif 000003
【図２】
2004174477.tif 000004
【図３】
2004174477.tif 000005
【図４】
2004174477.tif 000006
【図５】
2004174477.tif 000007